(57)【要約】【課題】軒桁の高さ位置から下方に設けた吹抜部の上方の軒桁上収納庫に、収納物の出し入れを容易に行うことができると共に、屋内に適度な広がりと開放感を有する領域を得ることのできる軒桁上収納庫付き建物を提供する。【解決手段】軒桁１４の高さ位置から下方に上階の床１３を横切って設けた少なくとも１．５層分の高さの吹抜部１５を有すると共に、吹抜部１５の上方に軒桁上収納庫１７を備える建物１０であって、吹抜部１５を囲む４方の側壁面の一面１８ａに隣接して、上階の床１３から０．５層分の高さの上階収納庫１９が設けられ、且つ上階収納庫１９の上方には、上階から階段２１を介して出入り可能な１層分の高さの上段居住部２０が、上半部分２０ａを軒桁１４の上方に延在させて設けられており、上段居住部２０の上半部分２０ａから軒桁上収納庫１７に収納物を出し入れ可能となっている。【選択図】図３
2008057252.tif 000002
【特許請求の範囲】
【請求項１】
軒桁の高さ位置から下方に上階の床部を横切って設けた少なくとも１．５層分の高さの吹抜部を有すると共に、該吹抜部の上方に軒桁上収納庫を備える建物であって、
前記吹抜部を囲む４方の側壁面の一面に隣接して、前記上階の床部から０．５層分の高さの上階収納庫が設けられ、
且つ該上階収納庫の上方には、前記上階の床部から階段を介して出入り可能な１層分の高さの上段居住部が、上半部分を前記軒桁の上方に延在させて設けられており、該上段居住部の上半部分から前記軒桁上収納庫に収納物を出し入れ可能となっている軒桁上収納庫付き建物。
【請求項２】
前記吹抜部には、下階の床部から０．５層分の高さに配置して上階と下階との間の踊場部が設けられており、該踊場部の下方には、下階の床部から出入り可能な踊場下収納庫又は踊場下居住部が設けられている請求項１に記載の軒桁上収納庫付き建物。
【請求項３】
前記上階収納庫の前記吹抜部に面した壁面は、前記吹抜部から透視可能な開口部又は透明部を備えており、前記上階収納庫の前記吹抜部に沿った部分は、前記吹抜部から観賞可能な展示スペースを形成している請求項１又は２に記載の軒桁上収納庫付き建物。
【請求項４】
前記上段居住部の前記吹抜部に面した壁面には連通口が設けられており、前記上段居住部又は前記軒桁上収納庫の上方の屋根面には、開閉可能なトップライトが設けられている請求項１〜３のいずれかに記載の軒桁上収納庫付き建物。
【発明の詳細な説明】
【技術分野】
【０００１】
本発明は、軒桁上収納庫付き建物に関し、特に、軒桁の高さ位置から下方に上階の床部を横切って設けた少なくとも１．５層分の高さの吹抜部を有すると共に、吹抜部の上方に軒桁上収納庫を備える軒桁上収納庫付き建物に関する。
【背景技術】
【０００２】
屋根裏部分に収納庫を備える建物として、例えば天井高に差を設けた室を下階に配置し、これらの天井高の差に応じて室間の床面に高低差を設けた高床面室及び低床面室を、屋根裏面を天井面とする上階に配置し、高床面室の床面から屋根裏面までの空間を蔵型収納空間として、デッドスペースであった吹抜けの上部空間を有効利用するようにした蔵型収納付き建物が開示されている（例えば、特許文献１参照）。
【０００３】
特許文献１に記載の屋根裏部分に収納庫を備える建物では、蔵型収納空間の床面である高床面室の床面を、軒桁よりも下方に配置して、低床面室の床面からの高低差を０．５層分程度の高さに留めることにより、上階の床面である当該低床面室の床面から好ましくは階段等を介して、高床面室による屋根裏部分の収納庫へ収納物を容易に出し入れできるようにする工夫がなされている。
【特許文献１】特開平６−３２３０１０号公報
【発明の開示】
【発明が解決しようとする課題】
【０００４】
一方、軒桁の高さ位置に上階の天井部が設けられる一般の建物では、軒桁よりも上方の屋根裏部分の一部に収納庫を設けると共に、この軒桁上の収納庫の直下部分に吹抜部を設けることにより、吹抜部の上部空間を有効利用しつつ、適度な広がりと開放感を有する建物を構成することが可能になるが、このような建物では、収納部の床面や上階の床面から軒桁上の収納庫に収納物を出し入れする作業は、これらの間に相当の高低差があるため困難である。
【０００５】
本発明は、このような従来の課題に着目してなされたものであり、軒桁の高さ位置から下方に設けた吹抜部の上方の軒桁上収納庫に、収納物の出し入れを容易に行うことができると共に、屋内に適度な広がりと開放感を有する領域を得ることのできる軒桁上収納庫付き建物を提供することを目的とする。
【課題を解決するための手段】
【０００６】
本発明は、軒桁の高さ位置から下方に上階の床部を横切って設けた少なくとも１．５層分の高さの吹抜部を有すると共に、該吹抜部の上方に軒桁上収納庫を備える建物であって、前記吹抜部を囲む４方の側壁面の一面に隣接して、前記上階の床部から０．５層分の高さの上階収納庫が設けられ、且つ該上階収納庫の上方には、前記上階の床部から階段を介して出入り可能な１層分の高さの上段居住部が、上半部分を前記軒桁の上方に延在させて設けられており、該上段居住部の上半部分から前記軒桁上収納庫に収納物を出し入れ可能となっている軒桁上収納庫付き建物を提供することにより、上記目的を達成したものである。
【０００７】
ここで、上記記載における１．５層分の高さは、一般に２３０〜４００ｃｍ程度の高さを有する建物の１層分の高さに、これの略半分程度の高さを加えて、１層分の高さと２層分の高さの中間部分に位置する高さを略称するものであり、１層分の高さの１．５倍の高さの他、１層分の高さの１．４０〜１．７５倍程度の高さを含むものである。また、０．５層分の高さは、一般に２３０〜４００ｃｍ程度の高さを有する１層分の高さの中間部分に位置する高さを略称するものであり、１層分の高さの１／２の高さの他、１層分の高さの４０〜７５％程度の高さを含むものである。
【０００８】
そして、本発明の軒桁上収納庫付き建物は、前記吹抜部には、下階の床部から０．５層分の高さに配置して上階と下階との間の踊場部が設けられており、該踊場部の下方には、下階から出入り可能な踊場下収納庫又は踊場下居住部が設けられていることが好ましい。
【０００９】
また、本発明の軒桁上収納庫付き建物は、前記上階収納庫の前記吹抜部に面した壁面が、前記吹抜部から透視可能な開口部又は透明部を備えており、前記上階収納庫の前記吹抜部に沿った部分は、前記吹抜部から観賞可能な展示スペースを形成していることが好ましい。
【００１０】
さらに、本発明の軒桁上収納庫付き建物は、前記上段居住部の前記吹抜部に面した壁面には連通口が設けられており、前記上段居住部又は前記軒桁上収納庫の上方の屋根面には、開閉可能なトップライトが設けられていることが好ましい。
【００１１】
本発明の軒桁上収納庫付き建物では、軒桁の高さ位置から下方に上階の床部を横切って設けた少なくとも１．５層分の高さの吹抜部を有すると共に、吹抜部の上方に軒桁上収納庫を備えているので、軒桁の高さ位置に上階の天井部が設けられている建物において、吹抜部の上部空間を有効利用しつつ、吹抜部によって適度な広がりと開放感を有する領域を屋内に形成することが可能になる。また吹抜部を囲む側壁面の一面に隣接して、上階の床部から０．５層分の高さの上階収納庫が設けられ、且つ上階収納庫の上方に１層分の高さの上段居住部が上半部分を軒桁の上方に延在して設けられているので、軒桁上収納庫の床部と上段居住部の床部との間の高低差が、例えば１１０〜１６０ｃｍ程度の０．５層分の高低差になると共に、上階収納庫と上段居住部との間の出入口を、例えば９０〜１４０ｃｍ程度の０．５層分の高さの間口で形成可能となり、これらによって、上段居住部の床部を安定した作業床として、上段居住部の床部から必要に応じて適宜階段や梯子等を用いつつ、上階収納庫への収納物の出し入れを容易に行うことが可能になる。さらに、上段居住部の下方に設けられた上階収納庫は、上階の床部から出し入れが容易な利便性に富んだ収納庫を形成することが可能になる。
【００１２】
また、本発明の軒桁上収納庫付き建物では、吹抜部に、下階の床部から０．５層分の高さに配置して上階と下階との間に踊場部を設け、踊場部の下方には、下階の床部から出入り可能な踊場下収納庫や踊場下居住部を設けるようにすれば、吹抜部をさらに有効利用することが可能になると共に、下階の床部から出し入れや出入りが容易な使い勝手の良い収納スペースや居住スペースを形成することが可能になる。
【００１３】
さらに、本発明の軒桁上収納庫付き建物では、上階収納庫の吹抜部に面した壁面に、吹抜部から透視可能な開口部又は透明部を設け、収納庫の吹抜部に沿った部分を吹抜部から観賞可能な展示スペースとすれば、吹抜部の側壁面の中間部分に配置されて見易い高さに露出する展示スペース内の展示物を、開放感のある吹抜部から、博物館や展示館のような趣きで観賞することが可能になると共に、三次元的な立体感を備える展示物に適した展示スペースを形成することが可能になる。また展示物や収納物の展示スペースへの出し入れは、収納庫における展示スペースの裏側部分や上階の床部から容易に行うことが可能になる。
【００１４】
さらにまた、本発明の軒桁上収納庫付き建物では、上段居住部の吹抜部に面した壁面に連通口を設けておき、上段居住部や軒桁上収納庫の上方の屋根面に開閉可能なトップライトを設けておけば、連通口及びトップライトを開放状態とすることにより、下階から吹抜部を介して上方に向かい、連通口を通過した後に、上段居住部や軒桁上収納庫を経てトップライトから外気に流出する空気の流れが容易に形成されるので、この空気の流れによって屋内の換気を効果的に行うことが可能になると共に、特に夏場において涼しい屋内環境を得ることが可能になる。
【発明の効果】
【００１５】
本発明の軒桁上収納庫付き建物によれば、軒桁の高さ位置から下方に設けた吹抜部の上方の軒桁上収納庫に、収納物の出し入れを容易に行うことができると共に、屋内に適度な広がりと開放感を有する領域を得ることができる。
【発明を実施するための最良の形態】
【００１６】
本発明の好ましい一実施形態に係る軒桁上収納庫付き建物１０は、例えば北側立面図として図１に、東側立面図として図２に示すように、寄棟屋根１１を有する２階建の住宅建築物であって、その基本的な内部構造として、南側から見た断面図である図３に示すように、１階の床部１２から１層分の高さ位置に、２階の床部１３でもある１階の天井部が設けられると共に、２階の床部１３から１層分の高さ位置に配置される軒桁１４の高さ位置に、２階の天井部１６が設けられた構造を備えている。本実施形態の軒桁上収納庫付き建物１０は、このような軒桁１４の高さ位置に２階の天井部１６を配置した建物１０の基本構造の一部に組み込むようにして、２階の床部１３を上下に横切る吹抜部１５を設けることにより、屋内に適度な広がりと開放感を与えると共に、吹抜部１５の直上の屋根裏部分に収納庫１７を設けて吹抜部１５の上方空間を有効利用し、且つ吹抜部１５の直上の収納庫１７への収納物の出し入れを容易にして、その利便性を高めることを目的として採用されたものである。
【００１７】
そして、本実施形態の軒桁上収納庫付き建物１０は、図３〜図６に示すように、軒桁１４の高さ位置から下方に２階（上階）の床部１３を横切って設けた少なくとも１．５層分の高さの吹抜部１５を有すると共に、この吹抜部１５の上方に軒桁上収納庫１７を備える建物であって、吹抜部１５を囲む４方の側壁面の一面（西側の側壁面）１８ａに隣接して、２階（上階）の床部１３から０．５層分の高さの上階収納庫１９が設けられ、且つ上階収納庫１９の上方には、２階（上階）の床部１３から階段２１（図５参照）を介して出入り可能な１層分の高さの上段居住部２０が、上半部分２０ａを軒桁１４の上方に延在させて設けられており、上段居住部２０の上半部分２０ａから軒桁上収納庫１９に収納物を出し入れ可能となっている。
【００１８】
また、本実施形態の軒桁上収納庫付き建物１０では、吹抜部１５には、１階（下階）の床部１２から０．５層分の高さに配置して１階と２階との間の踊場部２２が設けられており、この踊場部２２の下方には、１階（下階）の床部１２から出入り可能な踊場下居住部２３が設けられている。
【００１９】
本実施形態によれば、建物１０の１階部分の間取りとしては、図４に示すように、南側に面した中央よりもやや西側に片寄った位置に、玄関２４が設けられ、玄関２４の北側には、１階ホール２５が設けられている。１階ホール２５の西側には、和室２６が設けられ、和室２６の北側には、建物１０の北西の角部に配置されて、洋室２７が設けられている。
【００２０】
１階ホール２５の東側に隣接する矩形平面形状の部分は、２階の床部１３を貫通して天井部１６が軒桁１４（図３参照）の高さ位置に至る吹抜部１５となっている。この吹抜部１５は、南側略半分の領域を占める、１階の床部１２から軒桁１４（２階の天井部１６）の高さ位置に至る２層分の高さの主吹抜部２８と、北側略半分の領域を占める踊場部２２とからなる（図５参照）。踊場部２２は、上述のように、１階（下階）の床部１２から０．５層分の高さに配置されることにより、その上方が１．５層分の高さで軒桁１４（２階の天井部１６）の高さ位置に至る吹抜空間となっている（図３参照）。また、本実施形態では、踊場部２２の下方の空間は、その床部２３ａを１階の床部１２から一段下げて形成することにより、居住者が立って歩ける程度の天井高さを確保し、踊場下居住部２３として用いることができるようになっている。なお、踊場部２２の下方の空間は、その床部が１階の床部１２と同じ高さに配置されて居住者が立てる程度の天井高さを確保できない場合でも、踊場下収納庫等として有効に利用することが可能である。
【００２１】
また、本実施形態では、１階ホール２５及び玄関２４の東側に隣接する部分は、吹抜部１５の主吹抜部２８を含んで建物１０の南東部分を占めるように設けられた、リビングダイニング２９となっている。下方が踊場下居住部２３となった吹抜部１５の踊場部２２の東側には、リビングダイニング２９の北側に隣接して、当該リビングダイニング２９から出入り可能なキッチン３０が設けられている。キッチン３０の北側には、建物１０の北東角部に配置されて、勝手口部屋３１が設けられている。
【００２２】
さらに、本実施形態では、吹抜部１５の踊場部２２の北側には、勝手口部屋３１と洋室２７との間で東西方向に延設する１階中廊下３２が、１階ホール２５からＬ字形状に折れ曲がって設けられている。この１階中廊下３２の北側には、勝手口部屋３１の西側に順次隣接して、洗面脱衣室３３、浴室３４、及び１階トイレ３５が設けられている。
【００２３】
１階ホール２５から下部階段３６を介して踊場部２２に至り、さらに踊場部２２から上部階段３７を介して昇降可能な建物１０の２階部分の間取りとしては、図５に示すように、吹抜部１５の北側の側壁面（手摺面）１８ｂに沿って、上部階段３７の昇降口が臨む北側２階ホール３８が、東西方向に延設して設けられている。北側２階ホール３８には、２階トイレ４７や書斎コーナー４８が設けられると共に、東側端部に隣接して、当該北側２階ホール３８から出入り可能なファミリースペース３９が、建物１０の北東部分に設けられている。ファミリースペース３９の南側には、建物１０の南東部分に配置されて、洋室４０が設けられており、これらのファミリースペース３９及び洋室４０は、吹抜部１５の東側の側壁面１８ｃに沿って配設される。また、吹抜部１５の南側の側壁面（手摺り面）１８ｄに沿って、南側２階ホール４１が、東西方向に延設して設けられている。
【００２４】
そして、本実施形態によれば、吹抜部１５の西側の側壁面１８ａに沿うように隣接して、２階（上階）の床部１３から０．５層分の高さの上階収納庫１９（図３参照）が、北側２階ホール３８と南側２階ホール４１との間に挟まれるように配置されて設けられている。上階収納庫１９の西側には、仕切壁４２を挟んで隣接する主寝室４３が設けられており、この主寝室４３には、北側２階ホール３８及び南側２階ホール４１の西側端部から、各々出入りできるようになっている。主寝室４３の北側には、建物１０の北西角部に配置されて、主寝室４３から出入り可能なウォークインクロゼット４４が設けられていると共に、主寝室４３の南側には、建物１０の南西角部に配置されて、主寝室４３から出入り可能なバルコニー４５が設けられている。
【００２５】
また、本実施形態では、主寝室４３には、上階収納庫１９との間の仕切壁４２の北側部分を切り欠いて、室内階段２１が設けられており、この室内階段２１を介して、上階収納庫１９の上方の上段居住部２０に出入り可能となっている（図６参照）。
【００２６】
室内階段２１を介して出入り可能な上段居住部２０は、図６及び図３に示すように、例えばタタミコーナーを形成していると共に、その上半部分２０ａを軒桁１４（２階の天井部１６）の上方に延在していることにより、１層分の高さを備えている。上段居住部２０の西側には、吹抜部１５の上方に設けられた軒桁上収納庫１７が隣接して配置される。これによって、軒桁上収納庫１７の床部１７ａと上段居住部２０の床部２０ｂとの間の高低差は０．５層分の高低差になると共に、軒桁上収納庫１７と上段居住部２０との間の出入口４６を、軒桁１４よりも上方の屋根裏部分において、０．５層分の高さの大きな間口で形成することが可能になる。
【００２７】
なお、本実施形態では、寄棟屋根１１の屋根裏部分において、棟木の延設方向である東西方向に隣接して、軒桁上収納庫１７と上段居住部２０とが並んで設けられており、これによって、これらの間の出入口４６は、棟木の延設方向に向けて開口することになるので、寄棟屋根１１の屋根裏部分の断面形状を効率良く利用して、相当の高さと幅の間口を有するように、出入口４６の開口を容易に設計することが可能になる。また、軒桁上収納庫１７と上段居住部２０との間の出入口４６には、開閉戸を適宜設けることができると共に、仕切り壁を適宜設けて仕切り部分の一部のみを開口させるようにしても良い。
【００２８】
さらに、本実施形態では、上段居住部２０の上階収納庫１９と軒桁上収納庫１７との間の吹抜部１５に面した壁面には、開閉可能な連通口４９（図３参照）が設けられており（連通口４９は常時開放のものや、面格子付きのもの等であっても良い。）、上段居住部２０や軒桁上収納庫１７の上方の屋根面には、開閉可能なトップライト５０（図１，図２参照）が設けられている。
【００２９】
ここで、本実施形態では、上階収納庫１９の吹抜部１５に面した壁面（吹抜部１５の西側の側壁面１８ａの一部）に、図３及び図５に示すように、好ましくは略全体に亘って例えば透明ガラス等を嵌め込むことにより、吹抜部１５から透視可能な透明部５１を設けて、上階収納庫１９の吹抜部１５に沿った部分に、吹抜部１５から観賞可能な展示スペース５２を形成することができる。
【００３０】
このような展示スペース５２を設けることにより、吹抜部１５の西側の側壁面１８ａの中間部分に配置されて、見易い高さに露出する当該展示スペース５２内の展示物を、開放感のある吹抜部１５から、博物館や展示館のような趣きで観賞することが可能になると共に、三次元的な立体感を備える展示物に適した展示スペース５２を、容易に形成することが可能になる。なお、展示物や収納物の展示スペース５２への出し入れは、好ましくは上階収納庫１９における展示スペース５２の裏側部分や、北側２階ホール３８や南側２階ホール４１による２階の床部１２から、容易に行うことが可能になる。
【００３１】
そして、上述の構成を備える本実施形態の軒桁上収納庫付き建物１０によれば、軒桁１４の高さ位置から下方に設けた吹抜部１５の上方の軒桁上収納庫１７に、収納物の出し入れを容易に行うことができると共に、屋内に適度な広がりと開放感を有する領域を得ることが可能になる。
【００３２】
すなわち、本実施形態によれば、軒桁上収納庫付き建物１０は、軒桁１４の高さ位置から下方に上階の床部１３を横切って設けた少なくとも１．５層分の高さの吹抜部１５を有すると共に、吹抜部１５の上方に軒桁上収納庫１７を備えているので、軒桁１４の高さ位置に２階の天井部１６が設けられている建物１０において、吹抜部１５の上部空間を有効利用しつつ、吹抜部１５によって適度な広がりと開放感を有する領域を屋内に形成することが可能になる。
【００３３】
また、吹抜部１５を囲む側壁面の一面１８ａに隣接して、上階の床部１３から０．５層分の高さの上階収納庫１９が設けられ、且つ上階収納庫１９の上方に１層分の高さの上段居住部２０が上半部分２０ａを軒桁１４の上方に延在して設けられているので、軒桁上収納庫１７の床部１７ａと上段居住部２０の床部２０ｂとの間の高低差が０．５層分の高低差になると共に、上階収納庫１９と上段居住部２０との間の出入口４６を０．５層分の高さの間口で形成可能となり、これらによって、上段居住部２０の床部２０ｂを安定した作業床として、上段居住部２０の床部２０ｂから必要に応じて適宜階段や梯子等を用いつつ、上階収納庫１９への収納物の出し入れを容易に行うことが可能になる。さらに、上段居住部２０の下方に設けられた上階収納庫１９は、上階の床部１３から出し入れが容易な利便性に富んだ収納庫を形成することが可能になる。
【００３４】
さらにまた、吹抜部１５に、下階の床部１２から０．５層分の高さに配置して上階と下階との間に踊場部２２を設け、踊場部２２の下方には、下階の床部１２から出入り可能な踊場下居住部２３が設けられているので、吹抜部１５をさらに有効利用することが可能になると共に、下階の床部１２から出入りが容易な使い勝手の良い収納スペースや居住スペースを形成することが可能になる。
【００３５】
また、上段居住部２０の吹抜部１５に面した壁面に連通口４９が設けられ、上段居住部２０や軒桁上収納庫１７の上方の屋根面に開閉可能なトップライト５０が設けられているので、連通口４９及びトップライト５０を開放状態とすることにより、１階から吹抜部１５を介して上方に向かい、連通口４９を通過した後に、上段居住部２０や軒桁上収納庫１７を経てトップライト５０から外気に流出する空気の流れが容易に形成されるので、この空気の流れによって屋内の換気を効果的に行うことが可能になると共に、特に夏場において涼しい屋内環境を得ることが可能になる。
【００３６】
なお、本発明は上記実施形態に限定されることなく種々の変更が可能である。例えば、本発明の軒桁上収納庫付き建物は、２階建の住宅建築物である必要は必ずしもなく、２階等を下階、３階等を上階として、３階建て以上の建物に適用することもできる。また、軒桁上収納庫と上段居住部との間の出入口は、棟木の延設方向に向けて開口させる必要は必ずしもない。さらに、下階部分及び上階部分の間取りは、上述のものに限定されること無く、その他の種々の間取りとすることもできる。さらにまた、展示スペースの吹抜部に面した壁面に開口部を設けて、吹抜部から展示スペース内の展示物を観賞可能にすることもできる。
【図面の簡単な説明】
【００３７】
【図１】本発明の好ましい一実施形態に係る軒桁上収納庫付き建物の北側立面図である。
【図２】本発明の好ましい一実施形態に係る軒桁上収納庫付き建物の東側立面図である。
【図３】本発明の好ましい一実施形態に係る軒桁上収納庫付き建物を南側から見た、図４及び図５のＡ−Ａに沿った断面図である。
【図４】本発明の好ましい一実施形態に係る軒桁上収納庫付き建物の構成を説明する１階部分の間取り図である。
【図５】本発明の好ましい一実施形態に係る軒桁上収納庫付き建物の構成を説明する２階部分の間取り図である。
【図６】本発明の好ましい一実施形態に係る軒桁上収納庫付き建物の構成を説明する屋根裏部分の間取り図である。
【符号の説明】
【００３８】
１０  軒桁上収納庫付き建物
１１  寄棟屋根
１２  １階（下階）の床部
１３  ２階（上階）の床部
１４  軒桁
１５  吹抜部
１６  ２階（上階）の天井部
１７  軒桁上収納庫
１７ａ  軒桁上収納庫の床部
１８ａ  西側の側壁面（吹抜部を囲む４方の側壁面の一面）
１９  上階収納庫
２０  上段居住部
２０ａ  上段居住部の上半部分
２０ｂ  上段居住部の床部
２１  室内階段
２２  踊場部（吹抜部）
２３  踊場下居住部
２８  主吹抜部（吹抜部）
３６  下部階段
３７  上部階段
４６  軒桁上収納庫と上段居住部との間の出入口
４９  連通口
５０  トップライト
５１  透明部
５２  展示スペース
【図１】
2008057252.tif 000003
【図２】
2008057252.tif 000004
【図３】
2008057252.tif 000005
【図４】
2008057252.tif 000006
【図５】
2008057252.tif 000007
【図６】
2008057252.tif 000008